(57)【要約】【課題】ヒートポンプ式給湯機１は、運転効率の高い除霜運転を実現するようにしたヒートポンプ式給湯機１を提供する。【解決手段】インバータＥＣＵ１１０は、空気／冷媒熱交換器９０に霜が着いているとしてステップＳ１２０でＹＥＳと判定したとき、ステップＳ１４０（除霜制御部）を実行する。ステップＳ１４０において、減圧弁８０の弁開度を制御して圧縮機６０から吐出される冷媒を、水／冷媒熱交換器７０、減圧弁８０、空気／冷媒熱交換器９０、および圧縮機６０の冷媒入口の順に流すことにより、空気／冷媒熱交換器９０から霜を除く。空気／冷媒熱交換器９０に霜が着いているとしてＹＥＳとステップＳ１２０で判定したとき、ステップＳ１４０（除霜制御部）が実行される前に、ステップＳ１３０（昇温制御部）を実行する。【選択図】図４
2019158285.tif 000002
【特許請求の範囲】
【請求項１】
冷媒を圧縮して吐出する圧縮機（６０）と、
水を貯める貯湯タンク（２０）と、
前記貯湯タンクからの水と前記圧縮機から吐出される冷媒との間で熱交換させて前記冷媒により水を加熱する水／冷媒熱交換器（７０）と、
前記貯湯タンクと前記水／冷媒熱交換器との間で水を循環させる循環ポンプ（８０）と、
前記水／冷媒熱交換器を通過した冷媒を減圧させる減圧弁（８０）と、
前記減圧弁により減圧された冷媒と空気流との間で熱交換させて前記空気流から前記冷媒に熱を移動させる空気／冷媒熱交換器（９０）と、
前記空気／冷媒熱交換器に霜が着いているか否かを判定する着霜判定部（Ｓ１２０）と、
前記空気／冷媒熱交換器に霜が着いていると前記着霜判定部が判定したとき、前記減圧弁の弁開度を制御して前記圧縮機から吐出される冷媒を、前記水／冷媒熱交換器、前記減圧弁、前記空気／冷媒熱交換器、および前記圧縮機の冷媒入口の順に流すことにより、前記空気／冷媒熱交換器から霜を除く除霜制御部（Ｓ１４０）と、
前記空気／冷媒熱交換器が霜が着いていると前記着霜判定部が判定したとき、前記除霜制御部が実行される前に、前記圧縮機から吐出される冷媒によって、前記水／冷媒熱交換器内の水の温度および前記水／冷媒熱交換器自体の温度を上昇させる昇温制御部（Ｓ１３０）と、
を備えるヒートポンプ式給湯機。
【請求項２】
前記減圧弁の弁開度を制御して前記圧縮機から吐出される冷媒を、前記水／冷媒熱交換器、前記減圧弁、前記空気／冷媒熱交換器、および前記圧縮機の冷媒入口の順に流し、かつ前記循環ポンプを制御して前記貯湯タンクと前記水／冷媒熱交換器との間で水を循環させて前記水／冷媒熱交換器で冷媒により水を加熱する沸き上げ運転制御部（Ｓ１００）を備え、
前記昇温制御部は、前記沸き上げ運転制御部の実行後に、前記空気／冷媒熱交換器が霜が着いていると前記着霜判定部が判定したとき、前記沸き上げ運転制御部の実行時に比べて少ない所定水量を前記貯湯タンクと前記水／冷媒熱交換器との間で循環させる、或いは前記循環ポンプを停止させるように前記循環ポンプを制御する循環水量制御部（Ｓ２００）を備える請求項１に記載のヒートポンプ式給湯機。
【請求項３】
前記空気／冷媒熱交換器を通過する前記空気流を発生させるファン（９１）を備え、
前記昇温制御部は、
前記循環水量制御部の実行後、前記水／冷媒熱交換器内の水温度が所定値（Ｋｃ）以下になるように、前記圧縮機の吐出冷媒量、前記ファンの送風量、および前記減圧弁の弁開度のうち少なくとも１つを制御する水温調整部（Ｓ２２０）を備える請求項２に記載のヒートポンプ式給湯機。
【請求項４】
前記空気／冷媒熱交換器を通過する前記空気流を発生させるファン（９１）を備え、
前記昇温制御部は、
前記循環水量制御部の実行後、前記圧縮機から前記水／冷媒熱交換器に流れる冷媒温度が所定値（Ｋａ）以下になり、かつ前記圧縮機から前記水／冷媒熱交換器に流れる冷媒圧力が所定値（Ｋｂ）以下になるように、前記圧縮機の吐出冷媒量、前記ファンの送風量、および前記減圧弁の弁開度のうち少なくとも１つを制御する冷媒調整部（Ｓ２２０）を備える請求項２に記載のヒートポンプ式給湯機。
【請求項５】
前記空気／冷媒熱交換器を通過する前記空気流を発生させるファン（９１）を備え、
前記昇温制御部は、
前記循環水量制御部の実行後、前記水／冷媒熱交換器内の水温度が所定値（Ｋｃ）以下になるように、前記圧縮機の吐出冷媒量、前記ファンの送風量、前記循環ポンプによる循環水流量、および前記減圧弁の弁開度のうち少なくとも１つを制御する水温調整部（Ｓ２２０Ａ）を備える請求項２に記載のヒートポンプ式給湯機。
【請求項６】
前記空気／冷媒熱交換器を通過する前記空気流を発生させるファン（９１）を備え、
前記昇温制御部は、
前記循環水量制御部の実行後、前記圧縮機から前記水／冷媒熱交換器に流れる冷媒温度が所定値（Ｋａ）以下になり、かつ前記圧縮機から前記水／冷媒熱交換器に流れる冷媒圧力が所定値（Ｋｂ）以下になるように、前記圧縮機の吐出冷媒量、前記ファンの送風量、前記循環ポンプによる循環水流量、および前記減圧弁の弁開度のうち少なくとも１つを制御する冷媒調整部（Ｓ２２０Ａ）を備える請求項２に記載のヒートポンプ式給湯機。
【請求項７】
前記昇温制御部は、
前記圧縮機から前記水／冷媒熱交換器に流れる冷媒温度が所定値よりも高いとき、或いは前記圧縮機から前記水／冷媒熱交換器に流れる冷媒圧力が所定値よりも高いときには、前記循環ポンプの循環水量を増加させる増水制御部（Ｓ３３０）と、
前記圧縮機から前記水／冷媒熱交換器に流れる冷媒温度が所定値以下であり、かつ前記圧縮機から前記水／冷媒熱交換器に流れる冷媒圧力が所定値以下であるときには、前記循環ポンプの循環水量を減少させる減水制御部（Ｓ３００）と、を備え、
前記空気／冷媒熱交換器が霜が着いていると前記着霜判定部が判定したとき、前記循環水量制御部の実行前に、前記循環ポンプの循環水量が前記所定水量に到達、或いは前記循環ポンプの停止状態に到達する迄、前記増水制御部、或いは前記減水制御部を実行させる請求項２に記載のヒートポンプ式給湯機。
【請求項８】
前記昇温制御部は、
前記圧縮機から前記水／冷媒熱交換器に流れる冷媒温度が所定値よりも高いとき、或いは前記圧縮機から前記水／冷媒熱交換器に流れる冷媒圧力が所定値よりも高いときには、前記循環ポンプの循環水量を増加させる増水制御部（Ｓ３３０）と、
前記圧縮機から前記水／冷媒熱交換器に流れる冷媒温度が所定値以下であり、かつ前記圧縮機から前記水／冷媒熱交換器に流れる冷媒圧力が所定値以下であるときには、前記循環ポンプの循環水量を減少させる減水制御部（Ｓ３００）と、を備え、
前記循環水量制御部の実行前に、前記空気／冷媒熱交換器が霜が着いていると前記着霜判定部が判定したときから経過した経過時間が所定時間以上になる迄、前記増水制御部、或いは前記減水制御部を実行させる請求項２に記載のヒートポンプ式給湯機。
【請求項９】
前記昇温制御部は、
前記水／冷媒熱交換器内の水温度が所定値（Ｋｃ）よりも高いときには、前記循環ポンプの循環水量を増加させる増水制御部（Ｓ３３０）と、
前記水／冷媒熱交換器内の水温度が所定値（Ｋｃ）以下であるときには、前記循環ポンプの循環水量を減少させる減水制御部（Ｓ３００）と、を備え、
前記空気／冷媒熱交換器が霜が着いていると前記着霜判定部が判定したとき、前記循環水量制御部の実行前に、前記循環ポンプの循環水量が前記所定水量に到達、或いは前記循環ポンプの停止状態に到達する迄、前記増水制御部、或いは前記減水制御部を実行させる請求項２に記載のヒートポンプ式給湯機。
【請求項１０】
前記昇温制御部は、
前記水／冷媒熱交換器内の水温度が所定値（Ｋｃ）よりも高いときには、前記循環ポンプの循環水量を増加させる増水制御部（Ｓ３３０）と、
前記水／冷媒熱交換器内の水温度が所定値（Ｋｃ）以下であるときには、前記循環ポンプの循環水量を減少させる減水制御部（Ｓ３００）と、を備え、
前記循環水量制御部の実行前に、前記空気／冷媒熱交換器が霜が着いていると前記着霜判定部が判定したときから経過した経過時間が所定時間以上になる迄、前記増水制御部、或いは前記減水制御部を実行させる請求項２に記載のヒートポンプ式給湯機。
【請求項１１】
前記水／冷媒熱交換器内の水、或いは前記水／冷媒熱交換器自体の温度が所定温度以上であるか否かを判定する温度判定部（Ｓ２３０）を備え、
前記水／冷媒熱交換器内の水、或いは前記水／冷媒熱交換器自体の温度が所定温度以上であると前記温度判定部が判定したとき、前記昇温制御部の実行を終了する請求項１ないし１０のいずれか１つに記載のヒートポンプ式給湯機。
【請求項１２】
前記水／冷媒熱交換器の水出口と前記貯湯タンクの水入口との間で水を流通させる水流路内の水の温度を検出する出口水温センサ（１２１）を備え、
前記温度判定部は、前記出口水温センサの検出温度に基づいて、前記水／冷媒熱交換器内の水、或いは前記水／冷媒熱交換器自体の温度が所定値以上であるか否かを判定する請求項１１に記載のヒートポンプ式給湯機。
【請求項１３】
前記貯湯タンクの水出口と前記水／冷媒熱交換器の水入口との間で水を流通させる水流路内の水の温度を検出する入口水温センサ（１２０）を備え、
前記温度判定部は、前記入口水温センサの検出温度に基づいて、前記水／冷媒熱交換器内の水、或いは前記水／冷媒熱交換器自体の温度が所定値以上であるか否かを判定する請求項１１に記載のヒートポンプ式給湯機。
【請求項１４】
前記水／冷媒熱交換器の水出口と前記貯湯タンクの水入口との間で水を流通させる水流路内の水の温度を検出する出口水温センサ（１２１）を備え、
前記貯湯タンクの水出口と前記水／冷媒熱交換器の水入口との間で水を流通させる水流路内の水の温度を検出する入口水温センサ（１２０）を備え、
前記温度判定部は、前記出口水温センサの検出温度と前記入口水温センサの検出温度との平均温度に基づいて、前記水／冷媒熱交換器内の水、或いは前記水／冷媒熱交換器自体の温度が所定値以上であるか否かを判定する請求項１１に記載のヒートポンプ式給湯機。
【請求項１５】
前記昇温制御部が継続して実行された時間が所定時間以上であるか否かを時間判定部（Ｓ２３０）を備え、
前記昇温制御部が継続して実行された時間が所定時間以上であると前記時間判定部が判定したときに、前記昇温制御部の実行を終了する請求項１ないし１４のいずれか１つに記載のヒートポンプ式給湯機。
【発明の詳細な説明】
【技術分野】
【０００１】
本発明は、ヒートポンプ式給湯機に関するものである。
【背景技術】
【０００２】
従来、ヒートポンプ式給湯機では、圧縮機から吐出される高圧冷媒と水との間で熱交換して水を加熱する水／冷媒熱交換器と、水／冷媒熱交換器からの冷媒を減圧する膨張弁と、膨張弁によって減圧された冷媒と電動ファンから送風される空気流との間で熱交換する空気／冷媒熱交換器とを備えるものがある（例えば、特許文献１参照）。
【０００３】
ヒートポンプ式給湯機には、水／冷媒熱交換器と貯湯タンクとの間で水を循環させる循環ポンプが設けられている。
【０００４】
このものにおいて、電子制御装置は、水／冷媒熱交換器に霜が着いた着霜状態であると判定すると、電動ファンおよび循環ポンプを停止し、膨張弁の開度、圧縮機の回転数を所定値に変更して除霜運転を開始する。
【０００５】
この除霜運転では、圧縮機から吐出される冷媒が水／冷媒熱交換器→膨張弁→空気／冷媒熱交換器→圧縮機の順に圧送される。高圧冷媒が空気／冷媒熱交換器を通過する際に冷媒が空気／冷媒熱交換器を加熱することにより除霜を行う。
【先行技術文献】
【特許文献】
【０００６】
【特許文献１】特開２０１７−３１５８号公報
【発明の概要】
【発明が解決しようとする課題】
【０００７】
上記ヒートポンプ式給湯機では、上述の如く、圧縮機から吐出される冷媒が水／冷媒熱交換器→膨張弁→空気／冷媒熱交換器→圧縮機の順に圧送されることにより、空気／冷媒熱交換器の除霜を行うことができる。
【０００８】
しかし、圧縮機から吐出される冷媒が水／冷媒熱交換器を通過する際、冷媒の放熱が促進され、冷媒の温度が低下する。このため、冷媒によって空気／冷媒熱交換器を除霜する除霜能力が低下する。
【０００９】
特に、沸上げ運転の目標沸上げ温度を低く設定した場合や水／冷媒熱交換器への入水温度が低い冬期などは、除霜運転前の水／冷媒熱交換器内部の水温がより低温となる為、不利となる。
【００１０】
尚、除霜能力を増加させる為、圧縮機の回転数を増大させることも考えられるが、除霜運転時には、ヒートポンプサイクルでなく、熱ポンプ運転である為、運転効率は低下することになる。
【００１１】
本発明は上記点に鑑みて、運転効率の高い除霜運転を実現するようにしたヒートポンプ式給湯機を提供することを目的とする。
【課題を解決するための手段】
【００１２】
上記目的を達成するため、請求項１に記載の発明では、ヒートポンプ式給湯機において、冷媒を圧縮して吐出する圧縮機（６０）と、
圧縮機から吐出される冷媒と水との間で熱交換させて冷媒により水を加熱する水／冷媒熱交換器（７０）と、
水／冷媒熱交換器を通過した冷媒を減圧させる減圧弁（８０）と、
減圧弁により減圧された冷媒と空気流との間で熱交換させて空気流から冷媒に熱を移動させる空気／冷媒熱交換器（９０）と、
空気／冷媒熱交換器に霜が着いているか否かを判定する判定部（Ｓ１２０）と、
空気／冷媒熱交換器に霜が着いていると判定部が判定したとき、減圧弁の弁開度を制御して圧縮機から吐出される冷媒を、水／冷媒熱交換器、減圧弁、空気／冷媒熱交換器、および圧縮機の冷媒入口の順に流すことにより、空気／冷媒熱交換器から霜を除く除霜制御部（Ｓ１４０）と、
空気／冷媒熱交換器が霜が着いていると判定部が判定したとき、除霜制御部が実行される前に、水／冷媒熱交換器内の水の温度および水／冷媒熱交換器自体の温度を上昇させる昇温制御部（Ｓ１３０）と、を備える。
【００１３】
以上により、除霜制御部が実行されて、圧縮機から吐出される冷媒が水／冷媒熱交換器を通過する際に、水／冷媒熱交換器内の水（或いは、水／冷媒熱交換器自体）から冷媒に熱を移動させることができる。したがって、空気／冷媒熱交換器を通過する冷媒の温度を上昇させることができる。これにより、空気／冷媒熱交換器から霜を良好に除去することができる。このため、運転効率の高い除霜運転を実現するようにしたヒートポンプ式給湯機を提供することができる。
【００１４】
ここで、減圧弁の弁開度とは、水／冷媒熱交換器の冷媒出口および空気／冷媒熱交換器の冷媒入口の間で冷媒を流通させる冷媒流路の断面積を示す指標である。冷媒流路の断面積とは、冷媒流路のうち冷媒流れ方向に対して直交する断面の面積のことである。減圧弁の弁開度が大きくなるほど、冷媒流路の断面積が大きくなり、減圧弁の弁開度が小さくなるほど、冷媒流路の断面積が小さくなる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】本発明の第１実施形態におけるヒートポンプ式給湯機の全体構成を示す図である。
【図２】図１中のヒートポンプユニットの詳細を示す図である。
【図３】図２中の空気／冷媒熱交換器の部分的内部構成を示す図であり、空気／冷媒熱交換器に霜が着くメカニズムの説明を補助するための図である。
【図４】図２中のインバータＥＣＵによる沸き上げ運転制御処理を示すフローチャートである。
【図５】図４中の昇温制御処理の詳細を示すフローチャートである。
【図６】従来の除霜運転の冷媒圧力および比エンタルピーの変化を示す圧力−比エンタルピー線図である。
【図７】第１実施形態の昇温運転の冷媒圧力および比エンタルピーの変化を示す圧力−比エンタルピー線図である。
【図８】第１実施形態の除霜運転の冷媒圧力および比エンタルピーの変化を示す圧力−比エンタルピー線図である。
【図９】本発明の第２実施形態におけるインバータＥＣＵによる昇温制御処理の詳細を示すフローチャートである。
【図１０】本発明の第３実施形態におけるインバータＥＣＵによる昇温制御処理の詳細を示すフローチャートである。
【発明を実施するための形態】
【００１７】
以下、本発明の実施形態について図に基づいて説明する。なお、以下の各実施形態相互において、互いに同一もしくは均等である部分には、説明の簡略化を図るべく、図中、同一符号を付してある。
【００１８】
（第１実施形態）
本第１実施形態のヒートポンプ式給湯機１について図１、図２等を参照して説明する。
【００１９】
ヒートポンプ式給湯機１は、家屋内の流し台・洗面所等に出湯する温水や風呂桶に湯張りする温水を生成するためのものである。ヒートポンプ式給湯機１は、図１に示すように、ヒートポンプユニット１０、貯湯タンク２０、貯湯ＥＣＵ３０、およびリモートコントローラ４０ａ、４０ｂを備える。
【００２０】
ヒートポンプユニット１０は、貯湯タンク２０内の缶体２１内の水を加熱して缶体２１内のお湯を貯める。缶体２１は、風呂や洗面所等に給湯するためのお湯を貯める。
【００２１】
貯湯ＥＣＵ３０は、マイクロコンピュータやメモリ等から構成され、缶体２１の水温センサ５０ａ〜５０ｆの検出温度、リモートコントローラ４０ａ、４０ｂの検出信号等に基づいて貯湯学習制御を実行して缶体２１の内の目標沸き上げ温度を演算する。
【００２２】
ここで、目標沸き上げ温度は、缶体２１の内の温水温度の目標値である。缶体２１の内の温水温度は、水温センサ５０ａ〜５０ｆの検出温度によって求められる。
【００２３】
水温センサ５０ａ〜５０ｆは、それぞれ、缶体２１内の水の温度を検出する温度センサである。水温センサ５０ａ〜５０ｆは、それぞれ、缶体２１の外側にて天地方向に間隔を開けて並べられている。
【００２４】
リモートコントローラ４０ａ、４０ｂは、それぞれ、使用者からの操作に基づいて湯張り等の指令を貯湯ＥＣＵ３０に出力したり、使用者からの操作に基づいて給湯温度を設定してこの設定される給湯温度を示す検出信号を貯湯ＥＣＵ３０に出力する。
【００２５】
ここで、給湯温度とは、缶体２１内の温水の温度を調整して洗面所等の蛇口から出湯させる温水の温度である。湯張りとは、缶体２１内の温水の温度を調整して風呂桶に貯めることである。
【００２６】
ヒートポンプユニット１０は、図２に示すように、圧縮機６０、水／冷媒熱交換器７０、減圧弁８０、空気／冷媒熱交換器９０、循環ポンプ１００、およびインバータＥＣＵ１１０を備える。
【００２７】
圧縮機６０は、空気／冷媒熱交換器９０の冷媒出口から冷媒を吸入して圧縮して空気／冷媒熱交換器９０の冷媒入口に吐出する。本実施形態の圧縮機６０としは、冷媒を圧縮する圧縮機構とこの圧縮機構を駆動する電動モータとからなる電動圧縮機が用いられる。
【００２８】
水／冷媒熱交換器７０は、圧縮機６０から吐出される高圧冷媒と貯湯タンク２０内の缶体２１内からの水との間で熱交換して高圧冷媒から水に放熱させる熱交換器である。
【００２９】
減圧弁８０は、水／冷媒熱交換器７０の冷媒出口および空気／冷媒熱交換器９０の冷媒入口の間の冷媒流路の断面積を調整する弁体と、この弁体を駆動するアクチュエータとを備える可変式膨張弁である。本実施形態の減圧弁８０は、その弁体による弁開度を調整して水／冷媒熱交換器７０の冷媒出口から空気／冷媒熱交換器９０の冷媒入口に流れる減圧する。
【００３０】
ここで、弁開度は、水／冷媒熱交換器７０の冷媒出口および空気／冷媒熱交換器９０の冷媒入口の間で冷媒を流通させる冷媒流路８１の流路断面積を示す尺度である。弁開度が大きくなるほど、冷媒流路８１の流路断面積が大きくなる一方、弁開度が小さくルほど、冷媒流路８１の流路断面積が小さくなる。
【００３１】
空気／冷媒熱交換器９０は、減圧弁８０により減圧された冷媒と電動ファン９１から送風される空気流との間で熱交換させて空気流から冷媒に熱を移動させる。空気／冷媒熱交換器９０および電動ファン９１は、それぞれ、家屋の外側に配置されている。
【００３２】
具体的には、空気／冷媒熱交換器９０は、冷媒が流れる複数本のチューブ９４と、チューブ９４の外表面に配置される熱交換フィン９２とを備える。熱交換フィン９２は、チューブ９４内の冷媒とチューブ９４の外側の空気流との間で熱交換させて空気流から冷媒に熱を移動させる。本実施形態の電動ファン９１は、家屋の外側において、空気／冷媒熱交換器９０を通過する空気流を発生させる。
【００３３】
本実施形態の圧縮機６０、水／冷媒熱交換器７０、減圧弁８０、および空気／冷媒熱交換器９０は、冷媒を循環させる冷凍サイクルを構成する。
【００３４】
循環ポンプ１００は、水／冷媒熱交換器７０および貯湯タンク２０内の缶体２１とともに、水を循環させる温水回路を構成する。
【００３５】
循環ポンプ１００は、缶体２１の水出口と水／冷媒熱交換器７０の水入口との間に配置されて、缶体２１の水出口から水／冷媒熱交換器７０の水入口に流れる水流れを発生させる。
【００３６】
本実施形態の循環ポンプ１００は、水流を発生させる羽根車と、この羽根車を駆動する電動アクチュエータとを備える電動ポンプである。
【００３７】
インバータＥＣＵ１１０は、メモリやマイクロコンピュータ等によって構成され、メモリに予め記憶されるコンピュータプログラムにしたがって、沸き上げ運転制御処理を実行する。
【００３８】
インバータＥＣＵ１１０は、沸き上げ運転制御処理の実行に伴って、貯湯ＥＣＵ３０との間で通信しつつ、センサ１２０、１２１、１２２、１２３、１２４、１２５の各々の検出信号に基づいて、圧縮機６０、減圧弁８０、循環ポンプ１００を制御する。センサ１２０、１２１、１２２、１２３、１２４、１２５は、入口水温センサ１２０、出口水温センサ１２１、外気温センサ１２２、冷媒温度センサ１２３、冷媒温度センサ１２４、冷媒圧力センサ１２５を纏めた記載である。
【００３９】
ここで、入口水温センサ１２０は、缶体２１の水出口から水／冷媒熱交換器７０の水入口に流れる水の温度を検出する。本実施形態の入口水温センサ１２０は、循環ポンプ１００の水出口および水／冷媒熱交換器７０の水入口の間に流れる水の温度を検出する。
【００４０】
出口水温センサ１２１は、水／冷媒熱交換器７０の水出口から缶体２１の水出口に流れる水の温度を検出する。
【００４１】
外気温センサ１２２は、空気／冷媒熱交換器９０の周辺の外気の温度を検出する。冷媒温度センサ１２３は、空気／冷媒熱交換器９０を流れる冷媒温度を検出する。
【００４２】
本実施形態の冷媒温度センサ１２３は、減圧弁８０の冷媒出口から空気／冷媒熱交換器９０の冷媒入口に流れる冷媒温度を検出する。或いは、冷媒温度センサ１２３は、減圧弁８０の冷媒出口から空気／冷媒熱交換器９０の冷媒入口に流れる冷媒温度ではなく、空気／冷媒熱交換器９０の冷媒出口から圧縮機６０の冷媒入口に流れる冷媒温度を検出するようにしてもよい。
【００４３】
冷媒温度センサ１２４は、圧縮機６０から吐出される高圧冷媒の温度を検出する。本実施形態の冷媒温度センサ１２４は、圧縮機６０の冷媒出口および水／冷媒熱交換器７０の冷媒入口の間の冷媒配管に配置されている。
【００４４】
冷媒圧力センサ１２５は、圧縮機６０から吐出される高圧冷媒の温度を検出する。本実施形態の冷媒圧力センサ１２５は、水／冷媒熱交換器７０の冷媒出口および減圧弁８０の冷媒入口の間の冷媒配管に設けられている。
【００４５】
なお、入口水温センサ１２０、出口水温センサ１２１、外気温センサ１２２、および冷媒温度センサ１２３、冷媒温度センサ１２４としては、例えばサーミスタ等の温度センサが用いられる。
【００４６】
次に、本実施形態のヒートポンプ式給湯機１の作動について図３〜図８を用いて説明する。
【００４７】
インバータＥＣＵ１１０は、図４、図５のフローチャートにしたがって、沸き上げ運転制御処理を実行する。
【００４８】
まず、インバータＥＣＵ１１０は、ステップＳ１００において、沸き上げ運転の実行を開始する。具体的には、インバータＥＣＵ１１０は、圧縮機６０、減圧弁８０、循環ポンプ１００、および電動ファン９１をそれぞれ制御する。
【００４９】
これにより、圧縮機６０は、空気／冷媒熱交換器９０の冷媒出口から冷媒を吸入して圧縮して水／冷媒熱交換器７０の冷媒入口に吐出する。
【００５０】
水／冷媒熱交換器７０は、圧縮機６０から吐出される高圧冷媒と循環ポンプ１００から流れる水流れとの間で熱交換して高圧冷媒から水に放熱させる。
【００５１】
循環ポンプ１００は、矢印Ｍの如く、水／冷媒熱交換器７０および貯湯タンク２０内の缶体２１の間で水を循環させる。
【００５２】
一方、水／冷媒熱交換器７０を通過した高圧冷媒は減圧弁８０に流れる。この際、減圧弁８０の弁開度は、インバータＥＣＵ１１０によって所定開度に制御されている。このため、水／冷媒熱交換器７０からの冷媒が減圧弁８０を通過する際に減圧される。この減圧弁８０によって減圧された冷媒は、空気／冷媒熱交換器９０に流れる。
【００５３】
この空気／冷媒熱交換器９０では、冷媒が電動ファン９１から送風される空気流から吸熱して冷媒が蒸発する。この空気／冷媒熱交換器９０を通過した冷媒は、圧縮機６０の冷媒入口に流れる。
【００５４】
このように、圧縮機６０から吐出される冷媒が矢印Ｒの如く、水／冷媒熱交換器７０→減圧弁８０→空気／冷媒熱交換器９０→圧縮機６０の順に流れる。
【００５５】
以上により、水／冷媒熱交換器７０で冷媒により加熱された温水が貯湯タンク２０内の缶体２１に貯めることができる。
【００５６】
その後、インバータＥＣＵ１１０は、ステップＳ１１０において、沸き上げ運転を終了すべきか否かを判定する。
【００５７】
具体的には、インバータＥＣＵ１１０は、缶体２１の温水温度が目標巻き上げ温度に到達したか否かを判定する。缶体２１の温水温度および目標巻き上げ温度は、インバータＥＣＵ１１０が貯湯ＥＣＵ３０との間の通信によって、貯湯ＥＣＵ３０から取得した情報である。
【００５８】
ここで、インバータＥＣＵ１１０は、缶体２１の温水温度が目標巻き上げ温度未満であるときには、ステップＳ１１０において、ＮＯと判定して、次のステップＳ１２０（着霜判定部）に移行する。
【００５９】
ここで、例えば、外気温が極めて低い厳冬期では、空気／冷媒熱交換器９０において、熱交換フィン９２に霜９３（図３参照）が着いてチューブ９４の周囲を空気流が流れることを妨げる場合がある。この場合、空気／冷媒熱交換器９０において、冷媒と空気流との間の熱交換が阻害される。
【００６０】
そこで、インバータＥＣＵ１１０は、ステップＳ１２０において、空気／冷媒熱交換器９０を通過する冷媒温度が所定値（例えば、−１０℃）以下であるか否かを判定することにより、空気／冷媒熱交換器９０に霜が着いた否かを判定する。
【００６１】
インバータＥＣＵ１１０は、空気／冷媒熱交換器９０を通過する冷媒温度が所定値以上であるときには、空気／冷媒熱交換器９０に霜が着いていないとして、ステップＳ１２０でＮＯと判定する。これ伴い、ステップＳ１００に戻る。
【００６２】
このため、缶体２１の温水温度が目標巻き上げ温度未満であり、かつ空気／冷媒熱交換器９０を通過する冷媒温度が所定値よりも高い状態が継続される限り、インバータＥＣＵ１１０は、沸き上げ運転処理（ステップＳ１００）、ステップＳ１１０のＮＯ判定、およびステップＳ１２０のＮＯ判定を繰り返す。
【００６３】
その後、空気／冷媒熱交換器９０を通過する冷媒温度が所定値以下になると、インバータＥＣＵ１１０は、空気／冷媒熱交換器９０に霜が着いたとしてステップＳ１２０においてＹＥＳと判定する。
【００６４】
すると、インバータＥＣＵ１１０は、次のステップＳ１３０に移行して昇温制御処理を実行する。昇温制御処理は、除霜運転（ステップＳ１４０）の実行前に、水／冷媒熱交換器７０内の水温および水／冷媒熱交換器７０自体の温度をそれぞれ上昇させる昇温制御部である。
【００６５】
次に、インバータＥＣＵ１１０は、次のステップＳ１４０（除霜制御部）において、除霜運転処理を実行する。
【００６６】
具体的には、インバータＥＣＵ１１０は、圧縮機６０、減圧弁８０、および電動ファン９１をそれぞれ制御する。
【００６７】
これにより、圧縮機６０は、インバータＥＣＵ１１０によって制御されて、予め決められた除霜回転数にて電動モータを回転させて圧縮機構により冷媒を吸入して圧縮して吐出させる。
【００６８】
減圧弁８０の弁開度は、インバータＥＣＵ１１０によって制御されて、予め決められた所定開度に設定される。この除霜運転処理の実行時に設定される減圧弁８０の弁開度は、沸き上げ運転制御時に設定される減圧弁８０の弁開度に比べて大きくなっている。電動ファン９１は、インバータＥＣＵ１１０によって制御されて、停止される。
【００６９】
この場合、水／冷媒熱交換器７０では、圧縮機６０から吐出される高圧冷媒と水との間で熱交換して高圧冷媒が水から吸熱する。そして、水／冷媒熱交換器７０を通過した冷媒は、減圧弁８０によって減圧される。この減圧弁８０によって減圧された冷媒は、空気／冷媒熱交換器９０に流れる。
【００７０】
このとき、冷媒が空気／冷媒熱交換器９０を流れる際に、冷媒が空気／冷媒熱交換器９０自体を加熱する。このため、空気／冷媒熱交換器９０から霜を除くことができる。その後、空気／冷媒熱交換器９０を通過した冷媒は、圧縮機６０に吸入される。
【００７１】
その後、インバータＥＣＵ１１０は、ステップＳ１５０において、除霜運転を終了すべきか否かを判定する。
【００７２】
具体的には、インバータＥＣＵ１１０は、次の（ａ）（ｂ）のうち少なくとも一方が成立するか否かを判定する。
（ａ）空気／冷媒熱交換器９０を通過する冷媒温度が所定値（例えば、−１０℃）よりも高いか否かを判定する。
（ｂ）除霜運転処理（ステップＳ１４０）を継続して実行した時間（以下、継続実行時間という）が所定時間（例えば、１０分）以上であるか否かを判定する。
【００７３】
例えば、インバータＥＣＵ１１０は、除霜運転処理（ステップＳ１４０）の継続実行時間が所定時間未満であり、かつ空気／冷媒熱交換器９０を通過する冷媒温度が所定値よりも高いとき、ステップＳ１５０においてＹＥＳと判定する。
【００７４】
インバータＥＣＵ１１０は、空気／冷媒熱交換器９０を通過する冷媒温度が所定値よりも低く、かつ除霜運転処理（ステップＳ１４０）の継続実行時間が所定時間以上であるとき、ステップＳ１５０においてＹＥＳと判定する。
【００７５】
インバータＥＣＵ１１０は、除霜運転処理（ステップＳ１４０）の継続実行時間が所定時間以上であり、かつ空気／冷媒熱交換器９０を通過する冷媒温度が所定値よりも高いとき、ステップＳ１５０においてＹＥＳと判定する。
【００７６】
インバータＥＣＵ１１０は、除霜運転処理（ステップＳ１４０）の継続実行時間が所定時間未満であり、かつ空気／冷媒熱交換器９０を通過する冷媒温度が所定値よりも低いとき、ステップＳ１５０においてＮＯと判定する。
【００７７】
このような除霜終了判定（ステップＳ１５０）においてＮＯと判定すると、ステップＳ１４０に移行して除霜運転処理を実行する。このため、ステップＳ１５０でＮＯと判定する限り、除霜運転処理（ステップＳ１４０）の実行を繰り返す。
【００７８】
その後、インバータＥＣＵ１１０は、除霜終了判定（ステップＳ１５０）においてＹＥＳと判定すると、ステップＳ１６０に移行して、除霜運転を終了する。その後、ステップＳ１００に移行する。
【００７９】
このため、缶体２１の温水温度が目標巻き上げ温度未満であり、かつ空気／冷媒熱交換器９０を通過する冷媒温度が所定値以上である限り、インバータＥＣＵ１１０は、沸き上げ運転処理（ステップＳ１００）、ステップＳ１１０のＮＯ判定、およびステップＳ１２０のＮＯ判定を繰り返す。
【００８０】
その後、缶体２１の温水温度が目標巻き上げ温度に到達すると、ステップＳ１１０のＹＥＳと判定してステップＳ１７０に移行して圧縮機６０を停止して沸き上げ運転を停止する。
【００８１】
次に、インバータＥＣＵ１１０における昇温制御処理（ステップＳ１３０）の詳細について図４を参照して説明する。
【００８２】
まず、インバータＥＣＵ１１０は、ステップＳ２００において、循環ポンプ１００の出力を予め決められた出力Ｗａに設定する（循環水量制御部）。予め決められた出力Ｗａとしては、沸き上げ運転制御処理（ステップＳ１００）の実行時の循環ポンプ１００の出力Ｗｂに比べて小さな値が設定されている。本実施形態の出力Ｗａとしては、正の値が用いられている（Ｗａ＞０）。
【００８３】
このため、循環ポンプ１００の作動に伴って、水／冷媒熱交換器７０および貯湯タンク２０内の缶体２１の間で水が循環される。
【００８４】
この場合、水／冷媒熱交換器７０では、圧縮機６０から吐出される高圧冷媒と水との間で熱交換されることにより、冷媒が水を加熱する。これに伴い、冷媒および水が水／冷媒熱交換器７０自体を加熱することになる。
【００８５】
なお、上記ステップＳ２００では、循環ポンプ１００の出力を予め決められた出力Ｗａに設定するのではなく、後述するように、循環ポンプ１００を停止してもよい。
【００８６】
この際に、水／冷媒熱交換器７０を通過する水流量が沸き上げ運転制御処理の実行時に比べて少なくなる。このため、昇温制御処理の実行時には、圧縮機６０から吐出される冷媒の温度、圧力に異常が生じたり、水／冷媒熱交換器７０内の水が高温異常となり沸騰した状態になることを避けることが必要となる。
【００８７】
つまり、冷媒によって水／冷媒熱交換器７０内の水や水／冷媒熱交換器７０自体を加熱する際に、圧縮機６０から水／冷媒熱交換器７０に流れる冷媒の温度、圧力や水／冷媒熱交換器７０内の水を正常状態に維持することが必要になる。
【００８８】
そこで、インバータＥＣＵ１１０は、ステップＳ２１０において、次の（ｃ）（ｄ）（ｅ）の判定結果に応じて、圧縮機６０から吐出される冷媒温度、冷媒圧力正常状態であるか否かを判定する。
（ｃ）冷媒温度センサ１２４の検出温度に基づいて、圧縮機６０から水／冷媒熱交換器７０に流れる冷媒温度が所定値Ｋａよりも高いか否かを判定することにより、圧縮機６０から吐出される冷媒が温度異常であるか否かを判定する。
（ｄ）冷媒圧力センサ１２５の検出圧力に基づいて、圧縮機６０から水／冷媒熱交換器７０に流れる冷媒圧力が所定値Ｋｂよりも高いか否かを判定することにより、圧縮機６０から吐出される冷媒が圧力異常であるか否かを判定する。
【００８９】
本実施形態では、圧縮機６０から吐出される冷媒温度が所定値Ｋａ以下であり、かつ圧縮機６０から吐出される冷媒圧力が所定値Ｋｂ以下であるとき、ステップＳ２１０においてＹＥＳと判定する。
【００９０】
このことにより、圧縮機６０から吐出される冷媒温度、冷媒圧力が正常であると判定されることになる。
【００９１】
一方、次の（ｃ１）（ｄ１）（ｅ１）のうちいずれか１つが成立すると、圧縮機６０から吐出される冷媒圧力、冷媒温度が異常であると判定されるとして、ステップＳ２１０においてＮＯと判定される。
（ｃ１）圧縮機６０から吐出される冷媒温度が所定値Ｋａよりも高いと判定される。（ｄ１）圧縮機６０から吐出される冷媒圧力が所定値Ｋｂよりも高いと判定される。
【００９２】
このように判定されるステップＳ２１０において、ＮＯと判定されると、ステップＳ２２０（冷媒調整部）に移行して、次のように、冷媒温度を所定値Ｋａ以下にし、かつ冷媒圧力を所定値Ｋｂ以下にするために低下させる。
【００９３】
すなわち、ステップＳ２１０においてＮＯと判定されると、インバータＥＣＵ１１０は、ステップＳ２２０において、冷媒温度を所定値Ｋａ以下にし、かつ冷媒圧力を所定値Ｋｂ以下にするために、圧縮機６０、電動ファン９１、および減圧弁８０をそれぞれ制御する。
【００９４】
具体的には、圧縮機６０の回転速度を減速して圧縮機６０の吐出容量を下げる。電動ファン９１の回転数を速度を減速して電動ファン９１の送風量を減らす。減圧弁８０の弁開度を大きくする。
【００９５】
すなわち、冷媒温度、冷媒圧力、水温を所定値（Ｋａ、Ｋｂ、Ｋｃ）以下にするように、圧縮機６０、電動ファン９１、および減圧弁８０を制御する。
【００９６】
なお、上記ステップＳ２１０では、冷媒圧力、冷媒温度を用いて判定するのではなく、後述するように、水／冷媒熱交換器７０内の水温を用いて判定してもよい。
【００９７】
その後、ステップＳ２１０に戻る。このため、ステップＳ２１０でＹＥＳと判定されるまで、冷媒温度の低下処理（ステップＳ２２０）を繰り返す。
【００９８】
その後、圧縮機６０から吐出される冷媒温度が所定値Ｋａ以下であり、かつ圧縮機６０から吐出される冷媒圧力が所定値Ｋｂ以下であるときには、ステップＳ２１０においてＹＥＳと判定する。
【００９９】
すると、インバータＥＣＵ１１０は、次のステップＳ２３０において、次の（ｆ）（ｇ）（ｈ）（ｉ）の判定結果に応じて、昇温制御処理を終了すべきか否かを判定する。
（ｆ）入口水温センサ１２０の検出温度に基づいて、水／冷媒熱交換器７０の水入口側の水温（以下、入水温度という）が所定値Ｋａ以上であるか否かを判定する。
（ｇ）出口水温センサ１２１の検出温度の検出温度に基づいて、水／冷媒熱交換器７０の水出口側の水温（以下、出湯温度という）が所定値Ｋｂ以上であるか否かを判定する。
（ｈ）入口水温センサ１２０の検出温度および出口水温センサ１２１の検出温度の平均温度（以下、出湯入水平均温度という）が所定値Ｋｃ以上であるか否かを判定する。
（ｉ）ステップＳ２００において循環ポンプ１００の出力を出力Ｗａに設定してから経過した時間（以下、昇温運転時間という）が所定時間Ｔａ以上であるか否かを判定する。
【０１００】
つまり、昇温運転時間は、昇温度制御（ステップＳ１３０）が継続して実行された時間である。
【０１０１】
ここで、入水温度が所定値Ｋａ未満であり、かつ出湯温度が所定値Ｋｂ未満であり、かつ出湯入水平均温度が所定値Ｋｃ未満であり、かつ昇温運転時間が所定時間Ｔａ未満であるときには、ステップＳ２３０でＮＯと判定して、ステップＳ２３０の判定を繰り返す。
【０１０２】
つまり、入水温度が所定値Ｋａ未満であり、かつ出湯温度が所定値Ｋｂ未満であり、かつ出湯入水平均温度が所定値Ｋｃ未満であり、かつ昇温運転時間が所定時間Ｔａ未満である限り、循環ポンプ１００の所定出力処理（ステップＳ２００）の実行を継続する。
【０１０３】
このことにより、水／冷媒熱交換器７０内の水および水／冷媒熱交換器７０自体を高圧冷媒によってを加熱することを継続することになる。
【０１０４】
その後、次の（ｆ１）（ｇ１）（ｈ１）（ｉ１）のうちいずれか１つが成立すると、ステップＳ２３０でＹＥＳと判定して、昇温制御処理を終了する。
【０１０５】
（ｆ１）入水温度が所定値Ｋａ以上である判定する。（ｇ１）出湯温度が所定値Ｋｂ以上であると判定する。（ｈ１）出湯入水平均温度が所定値Ｋｃ以上であると判定する。（ｉ１）昇温運転時間が所定時間Ｔａ以上であると判定する。
【０１０６】
このようにステップＳ２３０でＹＥＳと判定すると、循環ポンプ１００の作動を再開させる。これにより、水／冷媒熱交換器７０および貯湯タンク２０内の缶体２１の間で水が循環される。
【０１０７】
ここで、図６、図７、図８に縦軸を冷媒圧力とし、横軸を冷媒の比エンタルピーとする圧力−比エンタルピー線図を示す。図６は、従来の除霜運転の実行時の圧力−比エンタルピー線図である。図７は、昇温制御処理（ステップＳ１３０）実行時の圧力−比エンタルピー線図である。図８は、本実施形態の除霜運転（ステップＳ１４０）の実行時の圧力−比エンタルピー線図である。図６、図７、図８において、ＲＫは臨界点、ＨＥは飽和液線、ＨＺは飽和蒸気線である。
【０１０８】
図６において、圧縮機６０が冷媒を吸入して圧縮し吐出する工程がＰ１状態からＰ２状態に遷移する工程であり、水／冷媒熱交換器７０内の水（或いは、水／冷媒熱交換器７０自体）に冷媒が放熱する工程は、Ｐ２状態からＰ３状態に遷移する工程である。
【０１０９】
水／冷媒熱交換器７０を通過した冷媒を減圧弁８０が減圧する工程がＰ３状態からＰ４状態に遷移する工程である。空気／冷媒熱交換器９０で冷媒が除霜する工程がＰ３状態からＰ４状態に遷移する工程である。
【０１１０】
図７において、圧縮機６０が冷媒を吸入して圧縮し吐出する工程がＱ１状態からＱ２状態に遷移する工程であり、冷媒が水／冷媒熱交換器７０内の水（或いは、水／冷媒熱交換器７０自体）の温度を上げる昇温制御処理がＱ２状態からＱ３状態に遷移する工程である。
【０１１１】
水／冷媒熱交換器７０を通過した冷媒を減圧弁８０が減圧する工程がＱ３状態からＱ４状態に遷移する工程である。空気／冷媒熱交換器９０で空気から冷媒が吸熱する工程がＱ３状態からＱ４状態に遷移する工程である。
【０１１２】
図８において、圧縮機６０が冷媒を吸入して圧縮し吐出する工程がＲ１状態からＲ２状態に遷移する工程であり、水／冷媒熱交換器７０内の水（或いは、水／冷媒熱交換器７０自体）から冷媒に熱が移動する工程は、Ｒ２状態からＲ３状態に遷移する工程である。
【０１１３】
水／冷媒熱交換器７０を通過した冷媒を減圧弁８０が減圧する工程がＲ３状態からＲ４状態に遷移する工程である。空気／冷媒熱交換器９０で冷媒が除霜する工程がＲ３状態からＲ４状態に遷移する工程である。
【０１１４】
以上説明した本実施形態によれば、ヒートポンプ式給湯機１は、冷媒を圧縮して吐出する圧縮機６０と、水を貯める貯湯タンク２０と、貯湯タンク２０からの水と圧縮機６０から吐出される冷媒との間で熱交換させて冷媒により水を加熱する水／冷媒熱交換器７０と、水／冷媒熱交換器７０を通過した冷媒を減圧させる減圧弁８０とを備える。
【０１１５】
ヒートポンプ式給湯機１は、貯湯タンク２０と水／冷媒熱交換器７０との間で水を循環させる循環ポンプ１００と、減圧弁８０により減圧された冷媒と空気流との間で熱交換させて空気流から冷媒に熱を移動させる空気／冷媒熱交換器９０とインバータＥＣＵ１１０とを備える。
【０１１６】
インバータＥＣＵ１１０は、空気／冷媒熱交換器９０に霜が着いているか否かを判定する判定部としてのステップＳ１２０と、インバータＥＣＵ１１０は、空気／冷媒熱交換器９０に霜が着いているとしてステップＳ１２０でＹＥＳと判定したとき、ステップＳ１４０（除霜制御部）とを実行する。
【０１１７】
インバータＥＣＵ１１０は、ステップＳ１４０において、減圧弁８０の弁開度を制御して圧縮機６０から吐出される冷媒を、水／冷媒熱交換器７０、減圧弁８０、空気／冷媒熱交換器９０、および圧縮機６０の冷媒入口の順に流すことにより、空気／冷媒熱交換器９０から霜を除く。
【０１１８】
インバータＥＣＵ１１０は、空気／冷媒熱交換器９０に霜が着いているとしてＹＥＳとステップＳ１２０で判定したとき、ステップＳ１４０（除霜制御部）が実行される前に、ステップＳ１３０（昇温制御部）を実行する。インバータＥＣＵ１１０は、ステップＳ１３０の実行に伴って、水／冷媒熱交換器７０内の水の温度および水／冷媒熱交換器７０自体の温度を上昇させる。
【０１１９】
ここで、従来の除霜運転の実行時には、図６に示すように、圧縮機６０から吐出される冷媒が水／冷媒熱交換器７０を通過する際に、冷媒から水／冷媒熱交換器７０内の水（或いは、水／冷媒熱交換器７０自体）に放熱される。
【０１２０】
つまり、空気／冷媒熱交換器９０に冷媒が流れる前に、水／冷媒熱交換器７０において冷媒から放熱される。このため、除霜運転の運転効率が下がる。
【０１２１】
これに対して、本実施形態では、インバータＥＣＵ１１０がステップＳ１４０（除霜制御部）を実行して、圧縮機６０から吐出される冷媒が水／冷媒熱交換器７０を通過する際に、水／冷媒熱交換器７０内の水（或いは、水／冷媒熱交換器７０自体）から冷媒に熱を移動させることができる。したがって、空気／冷媒熱交換器９０を通過する冷媒の温度を上昇させることができる。これにより、空気／冷媒熱交換器９０から霜を良好に除去することができる。このため、運転効率の高い除霜運転を実現するようにしたヒートポンプ式給湯機１を提供することができる。
【０１２２】
本実施形態では、インバータＥＣＵ１１０は、ステップＳ２２０において、冷媒温度を所定値Ｋａ以下にし、かつ冷媒圧力を所定値Ｋｂ以下にするために、圧縮機６０、電動ファン９１、および減圧弁８０をそれぞれ制御する。このため、冷媒温度および冷媒圧力を正常状態に維持しつつ、昇温度制御を実行することができる。
【０１２３】
（第２実施形態）
上記第１実施形態では、インバータＥＣＵ１１０は、ステップＳ２２０において、圧縮機６０、電動ファン９１、減圧弁８０を制御して圧縮機６０から水／冷媒熱交換器７０に流れる冷媒の温度、圧力を低下させる例について説明したが、これに代えて、本第２実施形態では、次のようにしてもよい。
【０１２４】
すなわち、本実施形態のインバータＥＣＵ１１０は、ステップＳ２２０に代わるステップＳ２２０Ａ（冷媒調整部）において、圧縮機６０、電動ファン９１、減圧弁８０、循環ポンプ１００を制御して圧縮機６０から水／冷媒熱交換器７０に流れる冷媒の温度、圧力を低下させる。
【０１２５】
本実施形態と上記第１実施形態とは、インバータＥＣＵ１１０による昇温制御処理が相違し、その他の構成は同じである。このため、以下、インバータＥＣＵ１１０による昇温制御処理について説明する。
【０１２６】
インバータＥＣＵ１１０は、図５に代わる図１０のフローチャートにしたがって、昇温制御処理を実行する。
【０１２７】
図９のフローチャートは、図５において、ステップＳ２２０に代わるステップＳ２２０Ａを備える。図９において、図５と同一のステップは、同一の処理を示し、その説明を省略する。
【０１２８】
インバータＥＣＵ１１０は、ステップＳ２２０Ａにおいて、圧縮機６０から水／冷媒熱交換器７０に流れる冷媒温度を所定値Ｋａ以下にし、かつ冷媒圧力を所定値Ｋｂ以下にするために、圧縮機６０、電動ファン９１、循環ポンプ１００、および減圧弁８０をそれぞれ制御する。
【０１２９】
具体的には、圧縮機６０の回転速度を減速して圧縮機６０の吐出容量を下げる。電動ファン９１の回転数を速度を減速して電動ファン９１の送風量を減らす。減圧弁８０の弁開度を大きくする。循環ポンプ１００の羽根車を回転させる速度を上げて、循環ポンプ１００によって水／冷媒熱交換器７０および貯湯タンク２０内の間で循環される水量（すなわち、循環水量）を増大させる。
【０１３０】
すなわち、冷媒温度、冷媒圧力、水温を所定値（Ｋａ、Ｋｂ、Ｋｃ）以下にするように、圧縮機６０、電動ファン９１、減圧弁８０、および循環ポンプ１００を制御する。
【０１３１】
以上説明した本実施形態によれば、インバータＥＣＵ１１０がステップＳ１４０（除霜制御部）を実行して、圧縮機６０から吐出される冷媒が水／冷媒熱交換器７０を通過する際に、水／冷媒熱交換器７０内の水（或いは、水／冷媒熱交換器７０自体）から冷媒に熱を移動させることができる。したがって、上記第１実施形態と同様に、運転効率の高い除霜運転を実現するようにしたヒートポンプ式給湯機１を提供することができる。
【０１３２】
本実施形態のインバータＥＣＵ１１０は、ステップＳ２２０Ａにおいて圧縮機６０、電動ファン９１、循環ポンプ１００、および減圧弁８０をそれぞれ制御する。これにより、圧縮機６０から水／冷媒熱交換器７０に流れる冷媒の温度、圧力をより一層下げることができる。
【０１３３】
（第３実施形態）
上記第１実施形態では、インバータＥＣＵ１１０は、ステップＳ１２０でＹＥＳと判定したとき、ステップＳ２００において循環ポンプ１００の出力を予め決められた出力Ｗａに設定した例について説明したが、これに代えて、本第３実施形態では、インバータＥＣＵ１１０は、次のように循環ポンプ１００を制御する。
【０１３４】
すなわち、本実施形態のインバータＥＣＵ１１０は、圧縮機６０から水／冷媒熱交換器７０に流れる冷媒の温度、圧力の上昇を抑えつつ、循環ポンプ１００の循環水流量を徐々に減少させる。
【０１３５】
本実施形態と上記第１実施形態とは、インバータＥＣＵ１１０による昇温制御処理が相違し、その他の構成は同じである。このため、以下、インバータＥＣＵ１１０による昇温制御処理について説明する。
【０１３６】
インバータＥＣＵ１１０は、図５に代わる図１０のフローチャートにしたがって、昇温制御処理を実行する。
【０１３７】
図１０のフローチャートは、図５において、ステップＳ３００、Ｓ３１０、Ｓ３２０、Ｓ３３０を追加したものである。ステップＳ３００、Ｓ３１０、Ｓ３２０、Ｓ３３０は、図４中のステップＳ１２０と図５ステップＳ２００との間に配置されている。
【０１３８】
インバータＥＣＵ１１０は、図４のステップＳ１２０でＹＥＳと判定したとき、ステップＳ３００（減水制御部）に進んで、循環ポンプ１００の出力を単位秒当たり所定値Ｓａ（例えば、５％）低下させる。
【０１３９】
つまり、インバータＥＣＵ１１０は、循環ポンプ１００を制御して水／冷媒熱交換器７０および貯湯タンク２０の間で循環される水量（以下、循環水量という）を単位秒当たり所定水量Ｂａ（例えば、５％）低下させる。
【０１４０】
次に、インバータＥＣＵ１１０は、ステップＳ３１０において、循環ポンプ１００の出力が予め決められた出力Ｗａに到達したか否かを判定する。予め決められた出力Ｗａとしては、沸き上げ運転制御処理の実行時の循環ポンプ１００の出力Ｗｂに比べて小さな値が設定されている。本実施形態の出力Ｗａとしては、正の値が用いられている（Ｗａ＞０）。
【０１４１】
このとき、インバータＥＣＵ１１０は、循環ポンプ１００の出力が予め決められた出力Ｗａに到達していないときには、ステップＳ３１０においてＮＯと判定する。
【０１４２】
ここで、循環ポンプ１００の出力を低下させると、水／冷媒熱交換器７０を通過する水量が減る。このため、圧縮機６０から水／冷媒熱交換器７０に流れる冷媒が高温異常や高圧異常になる恐れがある。
【０１４３】
そこで、本実施形態では、インバータＥＣＵ１１０は、ステップＳ３２０において、次の（ｊ）（ｋ）の判定を実行する。
（ｊ）冷媒温度センサ１２４の検出温度に基づいて圧縮機６０から水／冷媒熱交換器７０に流れる冷媒温度が所定値ｋａ以下であるか否かを判定する。
（ｋ）冷媒圧力センサ１２５の検出圧力に基づいて圧縮機６０から水／冷媒熱交換器７０に流れる冷媒圧力が所定値ｋｂ以下であるか否かを判定する。
【０１４４】
ここで、圧縮機６０から水／冷媒熱交換器７０に流れる冷媒温度が所定値ｋａ以下であり、かつ圧縮機６０から水／冷媒熱交換器７０に流れる冷媒圧力が所定値ｋｂ以下であるときには、ステップＳ３２０においてＹＥＳと判定する。
【０１４５】
一方、圧縮機６０から水／冷媒熱交換器７０に流れる冷媒温度が所定値ｋａよりも高いときには、ステップＳ３２０においてＮＯと判定する。また、圧縮機６０から水／冷媒熱交換器７０に流れる冷媒圧力が所定値ｋｂよりも高いときには、ステップＳ３２０においてＮＯと判定する。
【０１４６】
このように判定されるステップＳ３２０においてＮＯと判定すると、ステップＳ３３０（増水制御部）に進んで、循環ポンプ１００の出力を単位秒当たり所定値Ｓｂ（例えば、５％）増大させる。
【０１４７】
つまり、インバータＥＣＵ１１０は、循環ポンプ１００を制御して水／冷媒熱交換器７０および貯湯タンク２０の間で循環される循環水量を単位秒当たり所定水量Ｂａ（例えば、５％）増大させる。
【０１４８】
このことにより、圧縮機６０から水／冷媒熱交換器７０に流れる冷媒の温度、圧力を下げることができる。その後、ステップＳ３２０に戻る。このため、ステップＳ３２０でＮＯと判定する限り、循環ポンプ１００の出力増大処理（ステップＳ３３０）の実行を繰り返す。
【０１４９】
その後、圧縮機６０から水／冷媒熱交換器７０に流れる冷媒温度が所定値ｋａ以下になり、かつ圧縮機６０から水／冷媒熱交換器７０に流れる冷媒圧力が所定値ｋｂ以下になると、ステップＳ３２０においてＹＥＳと判定する。すると、ステップＳ３００に戻る。
【０１５０】
このため、循環ポンプ１００の出力が出力Ｗａよりも大きく、かつ圧縮機６０から水／冷媒熱交換器７０に流れる冷媒温度が所定値ｋａ以下であり、かつ圧縮機６０から水／冷媒熱交換器７０に流れる冷媒圧力が所定値ｋｂ以下である状態が継続すると、循環ポンプ１００の出力減少処理（ステップＳ３００）、ステップＳ３１０のＮＯ判定、ステップＳ３２０のＹＥＳ判定を繰り返す。
【０１５１】
その後、循環ポンプ１００の出力が出力Ｗａに到達すると、ステップＳ３１０においてＹＥＳと判定する。
【０１５２】
これに伴い、インバータＥＣＵ１１０は、ステップＳ２００に進んで循環ポンプ１００の出力を予め決められた出力Ｗａに設定してから、上記第１実施形態と同様に、ステップＳ２１０以降の各制御処理を実行する。
【０１５３】
以上により、インバータＥＣＵ１１０は、空気／冷媒熱交換器９０が霜が着いているとしてステップＳ１２０でＹＥＳと判定したとき、ステップＳ２００（循環水量制御部）の実行前に、循環ポンプ１００の出力（循環水量）が出力Ｗａ（所定水量）に到達する迄、ステップＳ３００（減水制御部）、或いはステップＳ３３０（増水制御部）を実行する。
【０１５４】
なお、上記ステップＳ３２０では、水／冷媒熱交換器７０に流れる冷媒温度、冷媒圧力を用いて判定するのではなく、水／冷媒熱交換器７０内の水温を用いて判定してもよい。
【０１５５】
以上説明した本実施形態によれば、インバータＥＣＵ１１０がステップＳ１４０（除霜制御部）を実行して、圧縮機６０から吐出される冷媒が水／冷媒熱交換器７０を通過する際に、水／冷媒熱交換器７０内の水（或いは、水／冷媒熱交換器７０自体）から冷媒に熱を移動させることができる。したがって、上記第１実施形態と同様に、運転効率の高い除霜運転を実現するようにしたヒートポンプ式給湯機１を提供することができる。
【０１５６】
本実施形態のインバータＥＣＵ１１０は、圧縮機６０から水／冷媒熱交換器７０に流れる冷媒温度が所定値Ｋａよりも高いとき、或いは圧縮機６０から水／冷媒熱交換器７０に流れる冷媒圧力が所定値Ｋｂよりも高いときには、循環ポンプ１００の循環水量を増加させるステップＳ３００（増水制御処理）を備える。
【０１５７】
インバータＥＣＵ１１０は、圧縮機６０から水／冷媒熱交換器７０に流れる冷媒温度が所定値Ｋａ以下であり、かつ圧縮機６０から水／冷媒熱交換器７０に流れる冷媒圧力が所定値Ｋｂ以下であるときには、循環ポンプ１００の循環水量を減少させるステップＳ３３０（減水制御処理）を備える。
【０１５８】
インバータＥＣＵ１１０は、空気／冷媒熱交換器が霜が着いているとしてステップＳ１２０でＹＥＳと判定したとき、ステップＳ２００（循環水量制御処理）の実行前に、循環ポンプ１００の出力が所定出力Ｗａに到達する迄、ステップＳ３００（増水制御処理）、或いはステップＳ３３０（減水制御処理）を実行する。
【０１５９】
以上により、循環ポンプ１００の循環水量を徐々に減少させることにより、圧縮機６０から水／冷媒熱交換器７０に流れる冷媒が高温異常や高圧異常になることなく、循環ポンプ１００の出力が所定出力Ｗａに到達させることができる。
【０１６０】
（他の実施形態）
（１）上記第１〜第３実施形態では、インバータＥＣＵ１１０は、ステップＳ２１０において、圧縮機６０から水／冷媒熱交換器７０に流れる冷媒の温度、圧力を用いて判定した例について説明したが、これに代えて、水／冷媒熱交換器７０内の水温を用いてステップＳ２１０の判定を行ってもよい。
【０１６１】
具体的には、水／冷媒熱交換器７０内の水温が所定値Ｋｃよりも高いか否かを判定することにより、水／冷媒熱交換器７０内の水が沸騰しているか否かを判定する。
【０１６２】
ここで、水／冷媒熱交換器７０内の水温としては、例えば、入口水温センサ１２０および出口水温センサ１２１のうち一方の水温センサの検出温度が用いられる。なお、水／冷媒熱交換器７０内の水温としては、入口水温センサ１２０の検出温度および出口水温センサ１２１の検出温度の平均温度を用いてもよい。
【０１６３】
この場合、水／冷媒熱交換器７０内の水温が所定値Ｋｃ以下であるとき、ステップＳ２１０においてＹＥＳと判定する。水／冷媒熱交換器７０内の水温が所定値Ｋｃよりも高いとき、ステップＳ２１０においてＮＯと判定する。
【０１６４】
例えば、上記第１実施形態（或いは、上記第３実施形態）の場合には、水／冷媒熱交換器７０内の水温が所定値Ｋｃよりも高いときには、ステップＳ２１０でＮＯと判定して、ステップＳ２２０（水温調整部）に進む。
【０１６５】
この場合、水温を所定値Ｋｃ以下にするために低下させる。すなわち、ステップＳ２１０においてＮＯと判定されると、インバータＥＣＵ１１０は、ステップＳ２２０において、水温を所定値Ｋｃ以下にするために、圧縮機６０、電動ファン９１、および減圧弁８０をそれぞれ制御する。
【０１６６】
上記第２実施形態の場合には、水／冷媒熱交換器７０内の水温が所定値Ｋｃよりも高いときには、ステップＳ２１０でＮＯと判定して、ステップＳ２２０Ａ（水温調整部）に進む。
【０１６７】
この場合、水温を所定値Ｋｃ以下にするために低下させる。すなわち、ステップＳ２１０においてＮＯと判定されると、インバータＥＣＵ１１０は、ステップＳ２２０Ａにおいて、水温を所定値Ｋｃ以下にするために、圧縮機６０、電動ファン９１、および循環ポンプ１００減圧弁８０をそれぞれ制御する。
【０１６８】
また、上記第３実施形態におけるステップＳ３２０の処理も、ステップＳ２１０と同様である。
【０１６９】
すなわち、インバータＥＣＵ１１０は、ステップＳ３２０において、圧縮機６０からの冷媒の温度、圧力を用いて判定するのではなく、水／冷媒熱交換器７０内の水温を用いてステップＳ３２０の判定を行う。
【０１７０】
具体的には、ステップＳ３２０において、水／冷媒熱交換器７０内の水温が所定値Ｋｃよりも高いか否かを判定することにより、水／冷媒熱交換器７０内の水が沸騰しているか否かを判定する。
【０１７１】
ここで、水／冷媒熱交換器７０内の水温としては、例えば、入口水温センサ１２０および出口水温センサ１２１のうち一方の水温センサの検出温度が用いられる。なお、水／冷媒熱交換器７０内の水温としては、入口水温センサ１２０の検出温度および出口水温センサ１２１の検出温度の平均温度を用いてもよい。
【０１７２】
この場合、水／冷媒熱交換器７０内の水温が所定値Ｋｃ以下であるとき、ステップＳ３２０においてＹＥＳと判定する。
【０１７３】
この場合、インバータＥＣＵ１１０は、ステップＳ３００（減水制御部）に進んで、循環ポンプ１００を制御して水／冷媒熱交換器７０および貯湯タンク２０の間で循環される水量（以下、循環水量という）を単位秒当たり所定水量Ｂａ（例えば、５％）低下させる。
【０１７４】
一方、水／冷媒熱交換器７０内の水温が所定値Ｋｃよりも高いとき、ステップＳ３２０においてＮＯと判定する。
【０１７５】
この場合、インバータＥＣＵ１１０は、循環ポンプ１００を制御して水／冷媒熱交換器７０および貯湯タンク２０の間で循環される循環水量を単位秒当たり所定水量Ｂａ（例えば、５％）増大させる。このことにより、水／冷媒熱交換器７０を流れる水温を下げることができる。
【０１７６】
このため、空気／冷媒熱交換器９０が霜が着いているとしてステップＳ１２０でＹＥＳと判定されたとき、ステップＳ２００（循環水量制御部）の実行前に、循環ポンプ１００の出力（循環水量）が出力Ｗａ（所定水量）に到達する迄、
ステップＳ３００（減水制御部）、或いはステップＳ３３０（増水制御部）を実行させる。
【０１７７】
一方、ステップＳ３１０において、循環ポンプ１００の出力が出力Ｗａに到達したか否かを判定するのではなく、循環ポンプ１００が停止した状態に到達したか否かを判定する場合には、次のようになる。
【０１７８】
すなわち、空気／冷媒熱交換器９０が霜が着いているとしてステップＳ１２０でＹＥＳと判定されたとき、ステップＳ２００（循環水量制御部）の実行前に、循環ポンプ１００が停止した状態に到達する迄、ステップＳ３００（減水制御部）、或いはステップＳ３３０（増水制御部）を実行させる。
【０１７９】
また、ステップＳ３１０において、循環ポンプ１００の出力が出力Ｗａに到達したか否かを判定するのではなく、空気／冷媒熱交換器９０が霜が着いているとしてステップＳ１２０でＹＥＳと判定してから経過した着霜判定経過時間が所定時間Ｔｂ以上であるか否かを判定する場合には、次のようにする。
【０１８０】
すなわち、空気／冷媒熱交換器９０が霜が着いているとしてステップＳ１２０でＹＥＳと判定されたとき、ステップＳ２００（循環水量制御部）の実行前に、
着霜判定経過時間が所定時間Ｔｂに到達する迄、ステップＳ３００（減水制御部）、或いはステップＳ３３０（増水制御部）を実行させる。
【０１８１】
（２）上記第１〜第３実施形態では、インバータＥＣＵ１１０は、水／冷媒熱交換器７０の入水温度、出湯温度、出湯入水平均温度、および昇温運転時間を用いてステップＳ２３０の判定を行う例について説明したが、これに代えて、次の（ｎ）（ｍ）（ｐ）（ｑ）のようにしてもよい。
（ｎ）入水温度、出湯温度、出湯入水平均温度、および昇温運転時間のうち入水温度だけを用いてステップＳ２３０の判定を行う。
【０１８２】
この場合、水／冷媒熱交換器７０の入水温度が所定値Ｋａ以下であるとき、ステップＳ２３０でＹＥＳと判定する。一方、水／冷媒熱交換器７０の入水温度が所定値Ｋａよりも高いとき、ステップＳ２３０でＮＯと判定する。
（ｍ）入水温度、出湯温度、出湯入水平均温度、および昇温運転時間のうち出湯温度だけを用いてステップＳ２３０の判定を行う。
【０１８３】
この場合、水／冷媒熱交換器７０の出湯温度が所定値Ｋａ以下であるとき、ステップＳ２３０でＹＥＳと判定する。一方、水／冷媒熱交換器７０の出湯温度が所定値Ｋａよりも高いとき、ステップＳ２３０でＮＯと判定する。
（ｐ）入水温度、出湯温度、出湯入水平均温度、および昇温運転時間のうち出湯入水平均温度だけを用いてステップＳ２３０の判定を行う。
【０１８４】
この場合、水／冷媒熱交換器７０の出湯入水平均温度が所定値Ｋａ以下であるとき、ステップＳ２３０でＹＥＳと判定する。一方、水／冷媒熱交換器７０の出湯入水平均温度が所定値Ｋａよりも高いとき、ステップＳ２３０でＮＯと判定する。
（ｑ）入水温度、出湯温度、出湯入水平均温度、および昇温運転時間のうち昇温運転時間だけを用いてステップＳ２３０の判定を行う。
【０１８５】
この場合、昇温運転時間が所定時間Ｔａ以上であとき、ステップＳ２３０でＹＥＳと判定する。一方、昇温運転時間が所定時間Ｔａ未満であるとき、ステップＳ２３０でＮＯと判定する。
【０１８６】
（３）上記第３実施形態では、インバータＥＣＵ１１０は、ステップＳ３１０において、ステップＳ３００の実行によって循環ポンプ１００の出力が予め決められた出力Ｗａ（＞０）に到達したか否かを判定した例について説明したが、これに代えて、次の（ｒ）（ｓ）ようにしてもよい。
（ｒ）インバータＥＣＵ１１０は、ステップＳ３１０において、ステップＳ３００の実行によって循環ポンプ１００が停止した状態に到達したか否かを判定する。
【０１８７】
つまり、ステップＳ３１０において、ステップＳ３００の実行によって循環ポンプ１００の出力が零に到達したか否かを判定する。
【０１８８】
例えば、ステップＳ３００の実行によって循環ポンプ１００が停止した状態に到達したとき、ステップＳ３１０においてＹＥＳと判定する。一方、ステップＳ３００の実行によっても循環ポンプ１００が停止した状態ではなく、循環ポンプ１００による水の循環が継続されている場合には、ステップＳ３１０においてＹＥＳと判定する。
【０１８９】
このため、空気／冷媒熱交換器９０が霜が着いているとしてステップＳ１２０でＹＥＳと判定されたとき、ステップＳ２００（循環水量制御部）の実行前に、
循環ポンプ１００が停止した状態に到達する迄、ステップＳ３００（減水制御部）、或いはステップＳ３３０（増水制御部）を実行させる。
（ｓ）空気／冷媒熱交換器９０が霜が着いているとしてステップＳ１２０でＹＥＳと判定してから経過した時間（以下、着霜判定経過時間という）が所定時間Ｔｂ以上であるか否かを判定する。
【０１９０】
着霜判定経過時間が所定時間Ｔｂ以上であるときには、ステップＳ３１０においてＹＥＳと判定する。着霜判定経過時間が所定時間Ｔｂ未満であるときには、ステップＳ３１０においてＮＯと判定する。
【０１９１】
このため、空気／冷媒熱交換器９０が霜が着いているとしてステップＳ１２０でＹＥＳと判定されたとき、ステップＳ２００（循環水量制御部）の実行前に、
着霜判定経過時間が所定時間Ｔｂに到達する迄、ステップＳ３００（減水制御部）、或いはステップＳ３３０（増水制御部）を実行させる。
【０１９２】
（４）上記第１〜第３実施形態では、インバータＥＣＵ１１０は、ステップＳ３１０において、循環ポンプ１００の出力が予め決められた出力Ｗａに到達したか否かを判定した例について説明したが、これに代えて、次の（ｔ）、（ｕ）のようにしてもよい。
（ｔ）インバータＥＣＵ１１０は、ステップＳ３１０において、循環ポンプ１００が停止状態に到達したか否かを判定する。
【０１９３】
つまり、ステップＳ３００の減速処理を繰り返し実行して循環ポンプ１００の出力を徐々に減少させて、その後、ステップＳ３１０において、循環ポンプ１００が停止状態に到達したか否かを判定することになる。
【０１９４】
この場合、インバータＥＣＵ１１０は、ステップＳ２００において、循環ポンプ１００を停止状態に設定して、次のステップＳ２１０以降の処理を実行する。
（ｕ）ステップＳ１２０でＹＥＳと判定したのち、ステップＳ３１０において、昇温制御処理（ステップＳ１３０）の実行を継続して実行した時間（以下、継続実行時間という）が所定時間Ｔｃ以上であるか否かを判定する。
【０１９５】
継続実行時間が所定時間Ｔｃ以上であるときステップＳ３１０においてＹＥＳと判定する。一方、継続実行時間が所定時間Ｔｃ未満であるときステップＳ３１０においてＮＯと判定する。
【０１９６】
（５）上記第１〜第３実施形態では、インバータＥＣＵ１１０は、ステップＳ２００において、循環ポンプ１００の出力を予め決められた出力Ｗａに設定した例について説明したが、これに代えて、次のようにしてもよい。
【０１９７】
すなわち、インバータＥＣＵ１１０は、ステップＳ２００において、循環ポンプ１００を停止した状態に設定して、次のステップＳ２１０以降の処理を実行する。
【０１９８】
（６）上記第１、第３実施形態では、ステップＳ２２０において、圧縮機６０、電動ファン９１、および減圧弁８０をそれぞれ制御した例について説明したが、これに代えて、圧縮機６０、電動ファン９１、および減圧弁８０のうちいずれか１つを制御してもよい。
【０１９９】
（７）上記第２実施形態では、ステップＳ２２０Ａにおいて、圧縮機６０、電動ファン９１、減圧弁８０、循環ポンプ１００をそれぞれ制御した例について説明したが、これに代えて、圧縮機６０、電動ファン９１、減圧弁８０、循環ポンプ１００のうちいずれか１つを制御してもよい。
【０２００】
（８）なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【０２０１】
（まとめ）
上記第１〜第３実施形態、および他の実施形態の一部または全部に記載された第１の観点によれば、ヒートポンプ式給湯機は、冷媒を圧縮して吐出する圧縮機と、水を貯める貯湯タンクと、貯湯タンクからの水と圧縮機から吐出される冷媒との間で熱交換させて冷媒により水を加熱する水／冷媒熱交換器とを備える。
【０２０２】
ヒートポンプ式給湯機は、貯湯タンクと水／冷媒熱交換器との間で水を循環させる循環ポンプと、水／冷媒熱交換器を通過した冷媒を減圧させる減圧弁と、減圧弁により減圧された冷媒と空気流との間で熱交換させて空気流から冷媒に熱を移動させる空気／冷媒熱交換器とを備える。
【０２０３】
ヒートポンプ式給湯機は、空気／冷媒熱交換器に霜が着いているか否かを判定する着霜判定部と、空気／冷媒熱交換器に霜が着いていると着霜判定部が判定したとき、減圧弁の弁開度を制御して圧縮機から吐出される冷媒を、水／冷媒熱交換器、減圧弁、空気／冷媒熱交換器、および圧縮機の冷媒入口の順に流すことにより、空気／冷媒熱交換器から霜を除く除霜制御部とを備える。
【０２０４】
ヒートポンプ式給湯機は、空気／冷媒熱交換器が霜が着いていると着霜判定部が判定したとき、除霜制御部が実行される前に、圧縮機から吐出される冷媒によって、水／冷媒熱交換器内の水の温度および水／冷媒熱交換器自体の温度を上昇させる昇温制御部とを備える。
【０２０５】
第２の観点によれば、ヒートポンプ式給湯機は、減圧弁の弁開度を制御して圧縮機から吐出される冷媒を、水／冷媒熱交換器、減圧弁、空気／冷媒熱交換器、および圧縮機の冷媒入口の順に流し、かつ循環ポンプを制御して貯湯タンクと水／冷媒熱交換器との間で水を循環させて水／冷媒熱交換器で冷媒により水を加熱する沸き上げ運転制御部を備える。
【０２０６】
昇温制御部は、沸き上げ運転制御部の実行後に、空気／冷媒熱交換器が霜が着いていると着霜判定部が判定したとき、沸き上げ運転制御部の実行時に比べて少ない所定水量を貯湯タンクと水／冷媒熱交換器との間で循環させる、或いは循環ポンプを停止させるように循環ポンプを制御する循環水量制御部を備える。
【０２０７】
これにより、除霜制御部が実行される前に、水／冷媒熱交換器内の水の温度および水／冷媒熱交換器自体の温度を上昇させることができる。
【０２０８】
第３の観点によれば、ヒートポンプ式給湯機は、空気／冷媒熱交換器を通過する空気流を発生させるファンを備える。
【０２０９】
昇温制御部は、循環水量制御部の実行後、水／冷媒熱交換器内の水温度が所定値以下になるように、圧縮機の吐出冷媒量、ファンの送風量、循環ポンプによる循環水流量、および減圧弁の弁開度のうち少なくとも１つを制御する水温調整部を備える。
【０２１０】
これにより、昇温制御部の実行時に、水／冷媒熱交換器内の水が高温異常になることを未然に防ぐことができる。
【０２１１】
第４の観点によれば、ヒートポンプ式給湯機は、空気／冷媒熱交換器を通過する空気流を発生させるファンを備える。
【０２１２】
昇温制御部は、循環水量制御部の実行後、圧縮機から水／冷媒熱交換器に流れる冷媒温度が所定温度以下になり、かつ圧縮機から水／冷媒熱交換器に流れる冷媒圧力が所定圧力以下になるように、圧縮機の吐出冷媒量、ファンの送風量、循環ポンプによる循環水流量、および減圧弁の弁開度のうち少なくとも１つを制御する冷媒調整部を備える。
【０２１３】
これにより、昇温制御部の実行時に、圧縮機から水／冷媒熱交換器に流れる冷媒温度が高温異常になることを未然に防ぐとともに、圧縮機から水／冷媒熱交換器に流れる冷媒圧力が高圧異常になることを未然に防ぐことができる。
【０２１４】
第５の観点によれば、ヒートポンプ式給湯機は、空気／冷媒熱交換器を通過する空気流を発生させるファンを備える。昇温制御部は、循環水量制御部の実行後、水／冷媒熱交換器内の水温度が所定値以下になるように、圧縮機の吐出冷媒量、ファンの送風量、循環ポンプによる循環水流量、および減圧弁の弁開度のうち少なくとも１つを制御する水温調整部を備える。
【０２１５】
これにより、昇温制御部の実行時に、水／冷媒熱交換器内の水が高温異常になることを未然に防ぐことができる。
【０２１６】
第６の観点によれば、ヒートポンプ式給湯機は、空気／冷媒熱交換器を通過する空気流を発生させるファンを備える。昇温制御部は、循環水量制御部の実行後、圧縮機から水／冷媒熱交換器に流れる冷媒温度が所定値以下になり、かつ圧縮機から水／冷媒熱交換器に流れる冷媒圧力が所定値以下になるように、圧縮機の吐出冷媒量、ファンの送風量、循環ポンプによる循環水流量、および減圧弁の弁開度のうち少なくとも１つを制御する冷媒調整部を備える。
【０２１７】
これにより、昇温制御部の実行時に、圧縮機から水／冷媒熱交換器に流れる冷媒温度が高温異常になることを未然に防ぐとともに、圧縮機から水／冷媒熱交換器に流れる冷媒圧力が高圧異常になることを未然に防ぐことができる。
【０２１８】
第７の観点によれば、昇温制御部は、圧縮機から水／冷媒熱交換器に流れる冷媒温度が所定温度よりも高いとき、或いは圧縮機から水／冷媒熱交換器に流れる冷媒圧力が所定圧力よりも高いときには、循環ポンプの循環水量を増加させる増水制御部を備える。
【０２１９】
昇温制御部は、圧縮機から水／冷媒熱交換器に流れる冷媒温度が所定温度以下であり、かつ圧縮機から水／冷媒熱交換器に流れる冷媒圧力が所定圧力以下であるときには、循環ポンプの循環水量を減少させる減水制御部を備える。
【０２２０】
空気／冷媒熱交換器が霜が着いていると着霜判定部が判定したとき、循環水量制御部の実行前に、循環ポンプの循環水量が所定水量に到達、或いは循環ポンプの停止状態に到達する迄、増水制御部、或いは減水制御部を実行させる。
【０２２１】
第８の観点によれば、昇温制御部は、圧縮機から水／冷媒熱交換器に流れる冷媒温度が所定温度よりも高いとき、或いは圧縮機から水／冷媒熱交換器に流れる冷媒圧力が所定圧力よりも高いときには、循環ポンプの循環水量を増加させる増水制御部を備える。
【０２２２】
昇温制御部は、圧縮機から水／冷媒熱交換器に流れる冷媒温度が所定温度以下であり、かつ圧縮機から水／冷媒熱交換器に流れる冷媒圧力が所定圧力以下であるときには、循環ポンプの循環水量を減少させる減水制御部を備える。
【０２２３】
循環水量制御部の実行前に、空気／冷媒熱交換器が霜が着いていると着霜判定部が判定したときから経過した経過時間が所定時間以上になる迄、増水制御部、或いは減水制御部を実行させる。
【０２２４】
第９の観点によれば、昇温制御部は、水／冷媒熱交換器内の水温度が所定値よりも高いときには、循環ポンプの循環水量を増加させる増水制御部と、水／冷媒熱交換器内の水温度が所定値以下であるときには、循環ポンプの循環水量を減少させる減水制御部とを備える。
【０２２５】
空気／冷媒熱交換器が霜が着いていると着霜判定部が判定したとき、循環水量制御部の実行前に、循環ポンプの循環水量が所定水量に到達、或いは循環ポンプの停止状態に到達する迄、増水制御部、或いは減水制御部を実行させる。
【０２２６】
第１０の観点によれば、昇温制御部は、水／冷媒熱交換器内の水温度が所定値よりも高いときには、循環ポンプの循環水量を増加させる増水制御部と、水／冷媒熱交換器内の水温度が所定値以下であるときには、循環ポンプの循環水量を減少させる減水制御部とを備える。
【０２２７】
循環水量制御部の実行前に、空気／冷媒熱交換器が霜が着いていると着霜判定部が判定したときから経過した経過時間が所定時間以上になる迄、増水制御部、或いは減水制御部を実行させる。
【０２２８】
第１１の観点によれば、ヒートポンプ式給湯機は、水／冷媒熱交換器内の水、或いは水／冷媒熱交換器自体の温度が所定温度以上であるか否かを判定する温度判定部を備える。水／冷媒熱交換器内の水、或いは水／冷媒熱交換器自体の温度が所定温度以上であると温度判定部が判定したとき、昇温制御部の実行を終了する。
【０２２９】
第１２の観点によれば、ヒートポンプ式給湯機は、水／冷媒熱交換器の水出口と貯湯タンクの水入口との間で水を流通させる水流路内の水の温度を検出する出口水温センサを備える。温度判定部は、出口水温センサの検出温度に基づいて、水／冷媒熱交換器内の水、或いは水／冷媒熱交換器自体の温度が所定温度以上であるか否かを判定する。
【０２３０】
第１３の観点によれば、ヒートポンプ式給湯機は、貯湯タンクの水出口と水／冷媒熱交換器の水入口との間で水を流通させる水流路内の水の温度を検出する入口水温センサを備える。温度判定部は、入口水温センサの検出温度に基づいて、水／冷媒熱交換器内の水、或いは水／冷媒熱交換器自体の温度が所定温度以上であるか否かを判定する。
【０２３１】
第１４の観点によれば、ヒートポンプ式給湯機は、水／冷媒熱交換器の水出口と貯湯タンクの水入口との間で水を流通させる水流路内の水の温度を検出する出口水温センサと、貯湯タンクの水出口と水／冷媒熱交換器の水入口との間で水を流通させる水流路内の水の温度を検出する入口水温センサを備える。
【０２３２】
温度判定部は、出口水温センサの検出温度と入口水温センサの検出温度との平均温度に基づいて、水／冷媒熱交換器内の水、或いは水／冷媒熱交換器自体の温度が所定温度以上であるか否かを判定する。
【０２３３】
第１５の観点によれば、昇温制御部が継続して実行された時間が所定時間以上であるか否かを時間判定部を備える。昇温制御部が継続して実行された時間が所定時間以上であると時間判定部が判定したときに、昇温制御部の実行を終了する。
【符号の説明】
【０２３４】
１    ヒートポンプ式給湯機
１０    ヒートポンプユニット
２０    貯湯タンク
３０    貯湯ＥＣＵ
６０    圧縮機
７０    水／冷媒熱交換器
８０    減圧弁
９０    空気／冷媒熱交換器
１００    循環ポンプ
１１０    インバータＥＣＵ
【図１】
2019158285.tif 000003
【図２】
2019158285.tif 000004
【図３】
2019158285.tif 000005
【図４】
2019158285.tif 000006
【図５】
2019158285.tif 000007
【図６】
2019158285.tif 000008
【図７】
2019158285.tif 000009
【図８】
2019158285.tif 000010
【図９】
2019158285.tif 000011
【図１０】
2019158285.tif 000012